(57)【要約】【課題】  切換式ローイングマシンにおいて、左・右操作アームを連動・非連動に切り換える操作アーム連結部の操作がし易く、当該機器のその他の操作をし易くすること。【解決手段】  ローイングマシン（４３）において、運動者が動かす左・右操作アーム（５ａ）・（５ｂ）の各延設中途部に操作アーム連結部（１）が設けられ、  該操作アーム連結部（１）は、一方の操作アーム（５）に突設される突起片（２７）と、他方の操作アーム（５）に設けられる嵌着部材（２８）とからなり、  該嵌着部材（２８）を移動操作することにより、該嵌着部材（２８）が突起片（２７）に係止状態又は非係止状態となると同時に、左操作アーム（５ａ）と右操作アーム（５ｂ）は連動状態又は独立作動状態に切り換わることを特徴とする切換式ローイングマシンである。【選択図】      図１
2007000341.tif 000002
【特許請求の範囲】
【請求項１】
ローイングマシン（４３）において、運動者が動かす左・右操作アーム（５ａ）・（５ｂ）の各延設中途部に操作アーム連結部（１）が設けられ、
該操作アーム連結部（１）は、一方の操作アーム（５）に突設される突起片（２７）と、他方の操作アーム（５）に設けられる嵌着部材（２８）とからなり、
該嵌着部材（２８）を移動操作することにより、該嵌着部材（２８）が突起片（２７）に係止状態又は非係止状態となると同時に、左操作アーム（５ａ）と右操作アーム（５ｂ）は連動状態又は独立作動状態に切り換わることを特徴とする切換式ローイングマシン。
【請求項２】
操作アーム連結部（１）は、一方の操作アーム（５）に突設される突起片（２７）と、該突起片（２７）に係止状態又は非係止状態となることができ他方の操作アーム（５）に設けられる回動パイプ（２９）とからなり、
回動パイプ（２９）は、切欠き（３７）を有するパイプ部（３０）と、パイプ部（３０）を回動可能に他方の操作アーム（５）に取着する取着部（３１）とからなり、
係止状態では、突起片（２７）がパイプ部（３０）に囲まれ移動不自在となり、回動パイプ（２９）を回動し非係止状態に切り換えると、突起片（２７）が切欠き（３７）を通過でき移動自在となりそのことによって、一方操作アーム５と他方操作アーム５とが互いに独立操作状態になることを特徴とする請求項１記載の切換式ローイングマシン。
【請求項３】
操作アーム連結部（１）は、一方の操作アーム（５）に突設される突起片（２７）と、該突起片（２７）に係止状態又は非係止状態となることができ他方の操作アーム（５）に設けられる摺動パイプ（３９）とからなり、
摺動パイプ（３９）は、筒部（４０）と、筒部（４０）を摺動可能に保持し他方の操作アーム（５）に取着する摺動取着部（４１）とからなり、
係止状態では、突起片（２７）が筒部（４０）に囲まれ移動不自在となり、筒部（４０）を摺動退却させ非係止状態に切り換えると、突起片（２７）は移動自在となりそのことによって、一方操作アーム５と他方操作アーム５とが互いに独立操作状態になることを特徴とする請求項１記載の切換式ローイングマシン。
【請求項４】
伝導部（９）は、錘（１４）に取着されるネジ式伸縮機構（３４）と、ネジ式伸縮機構（３４）に止着される動滑車（３３）と、操作アーム（５）と動滑車（３３）を繋ぐ索体（２４）とからなり、
前記索体（２４）の基端は一方の操作アーム（５）に止着され、中間部は動滑車（３３）に掛け回され、先端は他方の操作アーム（５）に止着されてなり、
索体（２４）の弛みをネジ式伸縮機構（３４）の縮小操作で除去できることを特徴とする請求項１又は２又は３記載の切換式ローイングマシン。
【請求項５】
座部（３）と荷重部（７）を荷重部連結具（１０）を用いて接近させて連結し、荷重部（７）を運動者の対面位置に配置し、
前記荷重部（７）は、左・右柱（１９ａ）・（１９ｂ）と、中桟（２０ｂ）とを有し、中桟（２０ｂ）に操作アーム（５）の移動に追従して吊り上げられる錘（１４）が載設され、
錘（１４）の高さを、運動者の手の届く高さとしたことを特徴とする請求項１又は２又は３記載の切換式ローイングマシン。
【請求項６】
荷重部（７）の錘（１４）は、中桟（２０ｂ）上に積み重ねられてなる複数個の錘片（１５）と、複数個の錘片（１５）に上下方向に貫通する調節芯棒（１６）と、各錘片（１５）から調節芯棒（１６）にわたって水平方向に貫通する差込ピン（１７）とからなり、
操作アーム（５）の移動に追従して引き上げられる錘片（１５）の数はいずれの錘片（１５）に差込ピン（１７）を差し込むかによって決められ、差込操作は運動者によっても行えることを特徴とする請求項１又は２又は３記載の切換式ローイングマシン。
【発明の詳細な説明】
【技術分野】
【０００１】
本発明は、要支援の者又は要介護の者（以下運動者という）の諸筋を増強するための切換式ローイングマシンに関する。
【背景技術】
【０００２】
従来装置の特許文献１には、負荷抵抗と、２つの把持部材と、ピン部材でなる把持部材連動機構とから構成される運動用器具が開示されている。
【０００３】
リハビリのための運動器具には、リハビリのための運動を効率的に行なうため、左右の手足を独立に動かすことのできる運動器具と、左右の手足に同一の運動を強制して運動機能低下側に運動刺激を与えリハビリを促進する左右連動型の運動器具の２種類ある。前記従来装置は、１台の運動用器具で２種類の運動用器具を兼ねることが出来るという効果がある。又、ピン部材に係る操作部材を引っ張って回転させるという極めて容易な操作により把持部材連動機構を操作することができる。
【０００４】
しかし、前記操作部材は、操作アームの奥方に位置しており、又、水平外側方向へ引っ張って操作するものであるから、正面位置から操作部材を操作することは困難であり、その操作を運動者が自分で行なうことは困難であり、不便なものであった。
又、前記操作部材は、引っ張る方向に左右勝手があり、例えば、片麻痺疾患のある運動者の場合操作できないという問題があった。更に、介助者等の運動者以外の人が前記操作部材を操作する場合、操作できる側に回り込む必要があり面倒であった。
【特許文献１】特開２００４−１８７７２３号公報
【発明の開示】
【発明が解決しようとする課題】
【０００５】
解決しようとする課題は、切換式ローイングマシンにおいて、左・右操作アームを連動・非連動に切り換える操作アーム連結部の操作がし易く、当該機器のその他の操作をし易くすることである。
【課題を解決するための手段】
【０００６】
本発明の目的は、左・右操作アームを連動・非連動に切り換える操作アーム連結部の操作がし易く、当該機器のその他操作がし易い切換式ローイングマシンを提供することである。
本発明は、ローイングマシン（４３）において、運動者が動かす左・右操作アーム（５ａ）・（５ｂ）の各延設中途部に操作アーム連結部（１）が設けられ、該操作アーム連結部（１）は、一方の操作アーム（５）に突設される突起片（２７）と、他方の操作アーム（５）に設けられる嵌着部材（２８）とからなり、該嵌着部材（２８）を移動操作することにより、該嵌着部材（２８）が突起片（２７）に係止状態又は非係止状態となると同時に、左操作アーム（５ａ）と右操作アーム（５ｂ）は連動状態又は独立作動状態に切り換わることを特徴とする切換式ローイングマシンである。
又、操作アーム連結部（１）は、一方の操作アーム（５）に突設される突起片（２７）と、該突起片（２７）に係止状態又は非係止状態となることができ他方の操作アーム（５）に設けられる回動パイプ（２９）とからなり、回動パイプ（２９）は、切欠き（３７）を有するパイプ部（３０）と、パイプ部（３０）を回動可能に他方の操作アーム（５）に取着する取着部（３１）とからなり、係止状態では、突起片（２７）がパイプ部（３０）に囲まれ移動不自在となり、回動パイプ（２９）を回動し非係止状態に切り換えると、突起片（２７）が切欠き（３７）を通過でき移動自在となりそのことによって、一方操作アーム５と他方操作アーム５とが互いに独立操作状態になる。
更に、操作アーム連結部（１）は、一方の操作アーム（５）に突設される突起片（２７）と、該突起片（２７）に係止状態又は非係止状態となることができ他方の操作アーム（５）に設けられる摺動パイプ（３９）とからなり、摺動パイプ（３９）は、筒部（４０）と、筒部（４０）を摺動可能に保持し他方の操作アーム（５）に取着する摺動取着部（４１）とからなり、係止状態では、突起片（２７）が筒部（４０）に囲まれ移動不自在となり、筒部（４０）を摺動退却させ非係止状態に切り換えると、突起片（２７）は移動自在となりそのことによって、一方操作アーム５と他方操作アーム５とが互いに独立操作状態になる。
更に又、伝導部（９）は、錘（１４）に取着されるネジ式伸縮機構（３４）と、ネジ式伸縮機構（３４）に止着される動滑車（３３）と、操作アーム（５）と動滑車（３３）を繋ぐ索体（２４）とからなり、前記索体（２４）の基端は一方の操作アーム（５）に止着され、中間部は動滑車（３３）に掛け回され、先端は他方の操作アーム（５）に止着されてなり、索体（２４）の弛みをネジ式伸縮機構（３４）の縮小操作で除去できる。
又、座部（３）と荷重部（７）を荷重部連結具（１０）を用いて接近させて連結し、荷重部（７）を運動者の対面位置に配置し、前記荷重部（７）は、左・右柱（１９ａ）・（１９ｂ）と、中桟（２０ｂ）とを有し、中桟（２０ｂ）に操作アーム（５）の移動に追従して吊り上げられる錘（１４）が載設され、錘（１４）の高さを、運動者の手の届く高さとする。
更に、荷重部（７）の錘（１４）は、中桟（２０ｂ）上に積み重ねられてなる複数個の錘片（１５）と、複数個の錘片（１５）に上下方向に貫通する調節芯棒（１６）と、各錘片（１５）から調節芯棒（１６）にわたって水平方向に貫通する差込ピン（１７）とからなり、操作アーム（５）の移動に追従して引き上げられる錘片（１５）の数はいずれの錘片（１５）に差込ピン（１７）を差し込むかによって決められ、差込操作は運動者によっても行える。
【発明の効果】
【０００７】
本発明は、運動者が動かす左・右操作アーム５ａ・５ｂには操作アーム連結部１が設けられ、該操作アーム連結部１は、一方の操作アーム５に突設される突起片２７と、他方の操作アーム５に設けられる嵌着部材２８とからなり、該嵌着部材２８を操作することにより、左操作アーム５と右操作アーム５を連結した連動状態と、左操作アーム５と右操作アーム５の連結を解除した独立作動状態とに切り換えるものである。
従来器具では、操作アーム５の奥方に操作アーム５とは別にアーム部を設け該アーム部に把持部材連動機構を設けているので把持部材連動機構の操作がしにくいものであった。又、片麻痺疾患のある運動者の場合操作できないものであった。更に、介助者等の運動者以外の人が前記操作部材を操作する場合、操作できる側に回り込む必要があり面倒であった。上記本発明の構成では、操作アーム連結部１の連結・解除の操作が正面からし易く、座部３に座した運動者でも行なえ、好都合である。
【０００８】
本発明に係る操作アーム連結部１は、一方の操作アーム５に突設される突起片２７と、該突起片２７に係止状態又は非係止状態となることができ他方の操作アーム５に設けられる回動パイプ２９とからなり、回動パイプ２９は、切り欠きを有するパイプ部３０と、パイプ部３０を回動可能に他方の操作アーム５に取着する取着部３１とからなるから、左・右操作アーム５a・５bの連結・解除の操作が、正面からし易い上、回動操作のみで行なえ操作が簡単であり、好都合である。
【０００９】
本発明に係る操作アーム連結部１は、一方の操作アーム５に突設される突起片２７と、該突起片２７に係止状態又は非係止状態となることができ他方の操作アーム５に設けられる摺動パイプ３９とからなり、摺動パイプ３９は、筒部４０と、筒部４０を摺動可能に他方の操作アーム５に取着する摺動取着部３１とからなるから、左・右操作アーム５a・５bの連結・解除の操作が、正面から行い易い上、摺動パイプ３９を水平方向に進出退却移動させるのみの簡単な操作で行なえ、好都合である。
【００１０】
本発明に係る伝導部９は、錘１４に取着されるネジ式伸縮機構３４と、ネジ式伸縮機構３４に止着される動滑車３３と、操作アーム５と動滑車３３を繋ぐ索体２４とからなり、前記索体２４の基端は一方の操作アーム５に止着され、中間部は動滑車３３に掛け回され、先端は他方の操作アーム５に止着されてなるから、索体２４の弛みをネジ式伸縮機構３４の容易な縮小操作で除去でき、好都合である。索体２４の弛みを除去した後は、操作アーム５が移動すると同時に確実に錘１４が動き運動がし易く、好都合である。
【００１１】
本発明は、座部３と荷重部７を荷重部連結具１０で接近させて連結し、荷重部７の位置を運動者の対面位置に配置してなり、更に、前記荷重部７は、左・右柱１９ａ・１９ｂと、中桟２０ｂとを有し、中桟２０ｂに錘１４を載設し、錘１４を、運動者の手の届く高さに設けたから、荷重部７が好適距離に接近して有り、運動者が座部３に座ったまま楽な姿勢で容易に、好適な負荷に変更操作でき、その結果、好適な負荷で意欲的に運動ができ、好都合である。
【００１２】
本発明は、荷重部７の錘１４は、中桟２０ｂ上に積み重ねられてなる複数個の錘片１５と、錘片１５を連結する調節芯棒１６と、錘片１５を調節芯棒１６に掛止する差込ピン１７とからなり、操作アーム５の移動に追従して引き上げられる錘片１５の数は差込ピン１７の差込位置（複数個の錘片１５の内どの錘片１５に差込ピン１７を差し込むか）により変更され、差込ピン１７は運動者によって差込操作できるから、差込ピン１７を運動者が座部３に座った状態で容易に操作でき、無理のない適切な負荷で運動でき、好都合である。
【発明を実施するための最良の形態】
【００１３】
運動者は、本発明の切換式ローイングマシン２を用いて上体の広背筋その他の筋群のパワーアップを図る。運動者は、座部３に腰掛け、足をステップ４に乗せる。操作アーム連結部１を操作し操作アーム５を連動にする。差込ピン１７を抜き差し操作し負荷重量を決める。胸を胸当６に当てる。手を少し前に伸ばし操作アーム５を握る。上肢に力を入れ操作アーム５を引き寄せる。
【００１４】
操作アーム５が引き寄せられる時、操作アーム５の移動と共に荷重部７の錘１４が引き上げられ、その錘１４が上肢の移動に負荷となって掛かり、背筋群を強化する。操作アーム連結部１の嵌着部材２８を所定位置へ操作することによって、操作アーム５を、連動状態から独立作動状態へ切り換えることができる。この切り換え操作は座部３に座した運動者でも行なえる。差込ピン１７の差込位置によって錘片１５の数（＝負荷重量の値）は適宜に増減変更され設定される。前記変更に係る差込ピン１７の抜き差し操作は運動者によっても行なえる。
【実施例１】
【００１５】
図１〜５に本発明の実施例１を示す。実施例１の切換式ローイングマシン２は、ローイングマシン４３に操作アーム連結部１を設けたものである。図１は左側前方向から見た斜視図、図２は左側面図、図３は正面図、図４は平面図、図５は操作アーム連結部１を示す図である。
【００１６】
運動者は、実施例１のローイングマシン４３の座部３に腰掛け、ステップ４に足を乗せ、上肢を屈曲させながら操作アーム５を引き寄せ、次に伸展するという動作を複数回繰り返し、広背筋その他の筋の訓練を行なう。
【００１７】
実施例１は、運動者が座る座部３と、胸当６と、運動者が足を乗せるステップ４と、操作アーム５の移動に抗して荷重を掛ける荷重部７と、操作アーム取付枠８と、操作アーム５と、伝導部９と、座部３と荷重部７とを連結し荷重部７を座部３の前方へ配設する荷重部連結具１０とからなる。
【００１８】
座部３は、運動者が座るものであって、伸縮支柱１１と、調節ハンドル１２とからなる。運動開始に際し、座部３の上下方向の高さを運動者毎に適切な高さに決める。
【００１９】
胸当６は運動者の胸に当てるものである。運動開始に際し、胸当６を運動者毎に適切な位置に決める。
【００２０】
ステップ４は、運動者が足を乗せる棒である。機器の中央に位置する荷重部連結具１０から水平方向へ左右に突設される。
【００２１】
荷重部７は、操作アーム５が移動の始点から終点へ進行する時に、該操作アーム５の移動に負荷を掛けるものである。
荷重部７は、錘フレーム１３と、錘フレーム１３に収容される錘１４と、錘１４を構成する錘片１５同士を連結する調節芯棒１６及び差込ピン１７と、錘１４を保持する保持ロッド１８とからなる。
【００２２】
錘フレーム１３は、左・右支柱１９ａ・１９ｂと、上・中・下桟２０ａ・２０ｂ・２０ｃと、カバー２１とからなる
【００２３】
錘１４は、左・右支柱１９ａ・１９ｂの間に有って中桟２０ｂに載設されるものである。
錘１４は、積み重ねられて収容される多数個の錘片１５からなる。
調節芯棒１６は錘片１５の全個を串刺し状に上下方向に貫通している。
【００２４】
錘片１５及び調節芯棒１６に、差込ピン１７が差し込まれる穴２２が水平方向に開設される。
差込ピン１７は、前記穴２２に差し込み、調節芯棒１６に錘片１５を連結させるものである。
調節芯棒１６が上昇する時、差込ピン１７が差し込まれた錘片１５及びその錘片１５より上にある錘片１５（零個乃至複数個の錘片１５）が、調節芯棒１６に適宜連結され、上昇する。
【００２５】
操作アーム５の移動に追従して引き上げられる錘片１５の数はいずれの錘片１５に差込ピン１７を差し込むかによって決められ、差込操作は運動者によっても行える。
【００２６】
保持ロッド１８は錘１４を貫通して支持している。保持ロッド１８の上部適宜位置に錘１４の上方移動を制限する制限具２３が設けられる。
支柱１９の上部及び上桟２０ａには操作アーム取付枠８が斜上昇状に取着される。操作アーム取付枠８の先端を高くして、運動者の頭上の空間を広く取っている。
操作アーム取付枠８の先端に操作アーム５の上端がアーム軸２６で軸支される。操作アーム５は前記軸支部分から垂下状に設けられ、該操作アーム５の中途部には、索体２４の両端が止着され更に操作アーム連結部１が取着され、下部には垂直状に握り部２５が形成される。
前記下部には水平方向に分岐した横握り部３８が設けられる。
【００２７】
前記操作アーム連結部１は、一方の操作アーム５に突設される突起片２７と、他方の操作アーム５に設けられる嵌着部材２８とからなる。
前記嵌着部材２８を移動操作することにより、該嵌着部材２８は突起片２７に係止状態又は非係止状態となると同時に、左操作アーム５と右操作アーム５は連動状態又は独立作動状態となる。
【００２８】
即ち、嵌着部材２８を突起片２７に嵌着させると、該嵌着部材２８は突起片２７に係止状態となり、左操作アーム５ａと右操作アーム５ｂは連動状態となる。又、嵌着部材２８を突起片２７から外すと該嵌着部材２８は突起片２７から離れ、両者は非係止状態となり、左操作アーム５ａと右操作アーム５ｂは独立作動状態となる。
【００２９】
操作アーム連結部１の具体例は、一方の操作アーム５に突設される突起片２７と、該突起片２７に係止状態又は非係止状態となり他方の操作アーム５に設けられる回動パイプ２９とからなる。
回動パイプ２９は、切欠き３７を有するパイプ部３０と、パイプ部３０を回動可能に他方の操作アーム５に取着する取着部３１と、パイプ部３０を取着部３１の所定位置に止める止め具４２とからなる。
係止状態では、突起片２７はパイプ部３０に囲まれ移動不自在となり、非係止状態では、突起片２７は切欠き３７を通過でき移動自在となる。回動パイプ２９を略９０度正回動又は逆回動させれば、係止状態から非係止状態へ又は非係止状態から係止状態へ切り換わる。
【００３０】
伝導部９は、上桟２０ａの中央部に設けられるプーリー３２と、プーリー３２に掛け回され操作アーム５と錘１４を連結する前記索体２４と、調節芯棒１６の上端に取着される動滑車３３とから構成される。
調節芯棒１６には上向きにネジ式伸縮機構３４が突設される。前記動滑車３３はネジ式伸縮機構３４の上端に設けられる。
索体２４の基端は一方の操作アーム５の延設中途部に止着され、索体２４の先端は他方の操作アーム５の延設中途部に止着され、索体２４の中途部は、プーリー３２に掛け回され吊下され、更に、動滑車３３に掛け回される。索体２４の具体例は、平ベルトであるがこれをロープ又はワイヤーロープに代えてもよい。
【００３１】
前記ネジ式伸縮機構３４は、ターンバックルの原理を応用したものでありこれを縮小操作し動滑車３３を下方へ移動させ、索体２４の弛みを除去するものである。
【００３２】
荷重部７は、座部３に接近した前方位置に、荷重部連結具１０で該座部３に連結配置される。この配置により、錘１４及び差込ピン１７は座部３の前方の接近した位置に在る。
運動者の対面位置に荷重部７を配置し、中桟２０ｂに錘１４が運動者の手の届く適宜高さに載設される。錘１４を載置する好適な高さ範囲は、座部３の座面より下方２５０ミリから座面より上方６００ミリである。
座部３の中心と差込ピン１７の距離は、運動者の手が差込ピン１７に充分に届く離間距離とし、その距離は６００ミリが好適である。
この値は、座部３に乗った運動者が差込ピン１７の抜き差し操作を行ない易い好適な値である。
【００３３】
差込ピン１７は、施療者又は運動者によって抜き差し操作されるものである。
前記好適離間距離値を大幅に超えると、座部３に乗った運動者の手が差込ピン１７に届き難い事態や、差込ピン１７を確実に差し込めない事態が起こり、不都合である。
又、前記好適離間距離値に大幅に満たないと、近過ぎて差込ピン１７の抜き差し操作を行ない難くい事態が起こり、不都合である。
【００３４】
荷重部連結具１０は具体例では角パイプである。
前記荷重部連結具１０及び荷重部７の下面の適宜箇所（＝具体例では３箇所）にはこれらの部材を支持する脚３５が設けられ、荷重部連結具１０及び荷重部７は床面から僅か（＝具体例では１５ミリ）離間する。脚３５の下面には適宜なゴム板３６が貼られる。
【００３５】
実施例１を使用する際には、先ず、運動者は切換式ローイングマシン２の座部３に腰掛ける。
荷重部７は座部３の前方に配置されている。
嵌着部材２８に係る回動パイプ２９を突起片２７に被せ、回動パイプ２９に対して突起片２７を移動不自在とし、操作アーム連結部１を係止状態になし、左・右操作アーム５ａ・５ｂを互いに一体的に動く連動状態にする。
【００３６】
座部３の高さを、調節ハンドル１２で個人毎に、訓練に好適な高さに調節し決める。
胸当６の位置を、適宜位置に調節し決める。
【００３７】
錘１４を、中桟２０ｂで適宜高さに支持し、座部３に座した運動者が荷重調節出来るように、荷重連結具１０で座部３に接近した距離に設ける。
座部３上の運動者又は施療者は、負荷の大きさを設定するために差込ピン１７を操作する。
調節芯棒１６で引き上げられる錘片１５の数は負荷の値に対応する。錘片１５の側壁に開けられた穴２２へ差込ピン１７の差し込むことにより錘片１５が調節芯棒１６に固定される。
【００３８】
負荷となる錘片１５の数は差込ピン１７をどの錘片１５に差し込むかにより加減される。下位の錘片１５の穴２２へ差込ピン１７を差し込めば、当該錘片１５の上に積まれる錘片１５の数が多く、負荷は大きい。上位の錘片１５の穴２２へ差込ピン１７を差し込めば当該錘片１５の上に積まれる錘片１５の数が少なく負荷は小さい。
【００３９】
運動者は、座部３に腰掛けた後、握り部２５を掴み、足を上段ステップ４又は下段ステップ４に乗せる。握り部２５の代わりに横握り部３８を掴んでもよい。
運動者は、肘関節を屈曲し操作アーム５を引き寄せ（＝往動）訓練を開始する。操作アーム５がその上端のアーム軸２６を中心に回動し運動者に接近する。
この肘関節の屈曲運動により広背筋その他の背筋群が強化される。
【００４０】
操作アーム５が回動すると該操作アーム５により索体２４が引かれ、該索体２４により荷重部７の錘１４が引き上げられ、上肢に錘１４による負荷が掛かる。プーリー３２は索体２４の張設中途部を支え索体２４を所定通路に支持し移動させる。
索体２４で調節芯棒１６を吊り上げ、該調節芯棒１６で零個（＝調節芯棒１６のみ吊り上げ）乃至複数個の錘片１５を吊り上げる。この時、錘１４は保持ロッド１８に沿って上方向に移動する。
【００４１】
次に、肘関節を伸展状態に戻す（＝復動）。この復動で操作アーム５は運動者とは離間する方向へ回動し元位置へ戻り、又、錘１４も下降し元位置へ戻り着地する。
錘１４が着地するまでは肘関節が伸展する方向へ重量が掛かっており、錘１４が着地すると索体２４の張力は無くなり前記重量は零となる。
【００４２】
次に、再び上肢に力を入れ、握り部２５を引き寄せ、操作アーム５を運動者に接近する方向へ回動させ、肘関節を屈曲させる。
運動者は、前記往動と復動の動作を所定回数行ない又は所定時間繰り返し行ない、広背筋その他の背筋群の増強訓練を行なう。肘関節の伸展・屈曲に伴い錘１４は錘フレーム１３内を上下方向に移動する。
【００４３】
索体２４が弛んだため操作アーム５が往動しても同時に錘１４が上昇開始しない時には、ネジ式伸縮機構３４を縮小操作し動滑車３３を下げ、前記弛みを除去する。
左・右操作アーム５ａ・５ｂを非連動状態（＝独立作動状態）にして運動を行なう場合は、嵌着部材２８に係る回動パイプ２９を回動操作し、パイプ部３０の切欠き３７を突起片２７が通過できるようにする。
この操作を行なって操作アーム連結部１を非係止状態とし、左・右操作アーム５ａ・５ｂを非連動状態にすれば、左・右操作アーム５ａ・５ｂのそれぞれは独立状に動かせる。
【００４４】
例えば、左腕で左操作アーム５ａを引き動かすと、左操作アーム５ａが索体２４の一端を引く。索体２４の他端は動かないので、前記一端を引くことにより動滑車３３が回動しつつネジ式伸縮機構３４を引き上げ、ネジ式伸縮機構３４は調節芯棒１６と共に錘１４を引き上げる。引き上げられた錘１４の重量が左腕に負荷となって掛かり、左腕及び左側の広背筋等の筋力トレーニングが実施できる。
右腕に付いても左右が逆となるが前述の左腕の場合と同様な作動がなされる。
【００４５】
訓練を終了する時は、運動者は上肢の力を緩め、肘関節を伸展させる。操作アーム５は錘１４の下降作用により初期位置に戻る。運動者は、握り部２５を放し座部３から降り、訓練を終了する。
【実施例２】
【００４６】
図６に示す実施例２は、実施例１の操作アーム連結部１に係る回動パイプ２９を、摺動パイプ３９に代えたものである。
実施例２に係る操作アーム連結部１は、一方の操作アーム５に突設される突起片２７と、該突起片２７に係止状態又は非係止状態となり他方の操作アーム５に設けられる摺動パイプ３９とからなる。
摺動パイプ３９は、筒部４０と、筒部４０を摺動可能に保持し他方の操作アーム５に取着され摺動取着部４１とからなる。
【００４７】
筒部４０を突起片２７の方へ進出摺動させ筒部４０を突起片２７に被せた係止状態では、突起片２７が筒部４０に囲まれ移動不自在となり、左・右操作アーム５ａ・５ｂは連動状態となる。
筒部４０を摺動退却させ操作アーム連結部１を非係止状態に切り換えると、突起片２７は移動自在となり、左・右操作アーム５ａ・５ｂはそれぞれ独立して作動する独立作動状態となる。
【産業上の利用可能性】
【００４８】
本発明の切換式ローイングマシン２は、運動者が乗る座部３と、運動者が動かす操作アーム５と、操作アーム５の移動に対して負荷を掛ける荷重部７と、座部３と荷重部７を連結する荷重部連結具１０と、操作アーム５の移動量を荷重部７へ伝導する伝導部９とからなり、前記操作アーム５は左・右操作アーム５ａ・５ｂからなり、操作アーム５の各延設中途部に操作アーム連結部１が設けられ、該操作アーム連結部１は、一方の操作アーム５に突設される突起片２７と、他方の操作アーム５に設けられる嵌着部材２８とからなり、該嵌着部材２８を移動操作することにより、該嵌着部材２８は突起片２７に係止状態又は非係止状態となると同時に、左操作アーム５ａと右操作アーム５ｂは連動状態と独立作動状態とに切り換わる。本発明は、左・右操作アーム５ａ・５ｂを互いに連動・非連動に切り換える操作アーム連結部１の操作をし易く、当該機器のその他の操作をし易くする為に作られることが要求される切換式ローイングマシン２に適用できる。
【図面の簡単な説明】
【００４９】
【図１】本発明の実施例１の斜視図である。
【図２】本発明の実施例１の左側面図である。
【図３】本発明の実施例１の正面図である。
【図４】本発明の実施例１の平面図である。
【図５】本発明の実施例１の操作アーム連結部を示す図である。
【図６】本発明の実施例２の操作アーム連結部を示す図である。
【符号の説明】
【００５０】
１  操作アーム連結部
２  切換式ローイングマシン
３  座部
５  操作アーム
５ａ左操作アーム
５ｂ右操作アーム
７  荷重部
９  伝導部
１０  荷重部連結具
１４  錘
１５  錘片
１７  差込ピン
１９  支柱
２０ｂ中桟
２４  索体
２７  突起片
２８  嵌着部材
２９  回動パイプ
３０  パイプ部
３１  取着部
３３  動滑車
３４  ネジ式伸縮機構
３７  切欠き
３９  摺動パイプ
４０  筒部
４１  摺動取着部
４３  ローイングマシン
【図１】
2007000341.tif 000003
【図２】
2007000341.tif 000004
【図３】
2007000341.tif 000005
【図４】
2007000341.tif 000006
【図５】
2007000341.tif 000007
【図６】
2007000341.tif 000008